(57)【要約】【課題】帽子の左右両側や前面若しくは鍔部の上面や下方に、事後的に自分の好みに応じたアクセサリーを自由に取着できてファッション性や個性化を高められるアクセサリーを提供する。【解決手段】帽子１に取り付けられる装飾的な形状・模様のアクセサリーであり、デザイン本体部Ａ、Ｂの表面５等に所定のデザインａが施されている。デザイン本体部Ａに取り付けられた係止手段２により、前子１の左右両側面１０、１１又は前面１２に対し着脱自在である。デザイン本体部Ａ、Ａが、左右対称等の一対のデザインａ、ａで形成されている。左右又は前面のデザイン本体部Ａ又はＢに取着のチェーン３が、帽子１の鍔部１３の上等で揺動自在である。【選択図】       図１
0003111069.tif 000002
【実用新案登録請求の範囲】
【請求項１】
帽子に取り付けられる装飾的な形状・模様のアクセサリーであって、当該アクセサリーをなすデザイン本体部の全体又は表面に各種のデザインが施されていると共に、前記デザイン本体部に取り付けられた係止手段により、前記帽子の左右両側面又は一側面に対し着脱自在に構成されていることを特徴とする帽子用アクセサリー。
【請求項２】
帽子の左右両側面に着脱自在な左右のデザイン本体部が、それぞれ左右対称又は関連事項の一対のデザインにより形成されていることを特徴とする、請求項１に記載した帽子用アクセサリー。
【請求項３】
帽子の左右両側面に着脱自在な左右のデザイン本体部に、１本又は複数本のチェーンが架け渡されており、若しくは左右いずれか一方の一側面のデザイン本体部に、前記チェーンの一端が取り付けられ、左右のデザイン本体部が帽子の左右両側面に取着した状態、若しくは帽子の一側面にデザイン本体部が取着されチェーンの他端が帽子の他側面に取着した状態で、前記チェーンが鍔部を有する帽子の当該鍔部の上又は帽子の下方で揺動自在に構成されていることを特徴とする、請求項１又は２に記載した帽子用アクセサリー。
【請求項４】
帽子の左右両側面に着脱自在な左右のデザイン本体部が、連結バンドで回動自在に又は固着して接続されていることを特徴とする、請求項１〜３のいずれか１項に記載した帽子用アクセサリー。
【請求項５】
デザイン本体部の係止手段が、当該デザイン本体部の裏面において突出した突出部の内側で通孔が形成され、折り曲げ自在な板状の係止具が前記通孔に下方から挿し込まれて成り、帽子の下端縁に対し前記係止具の折り曲げ又は展開により帽子の側面で着脱自在に構成されていることを特徴とする、請求項１〜４のいずれか１項に記載した帽子用アクセサリー。
【請求項６】
デザイン本体部の係止手段をなす係止具の折り曲げ部分に、保護カバーが被覆されていることを特徴とする、請求項５に記載した帽子用アクセサリー。
【請求項７】
デザイン本体部の係止手段が、当該デザイン本体部の裏面に接合される平板状の被接合体と、その被接合体に設置され展開自在な展開具で成ることを特徴とする、請求項１〜４のいずれか１項に記載した帽子用アクセサリー。
【請求項８】
帽子に取り付けられる装飾的な形状・模様のアクセサリーであって、当該アクセサリーをなすデザイン本体部の全体又は表面に各種のデザインが施されていると共に、前記デザイン本体部に取り付けられた係止手段により、前記帽子の前面に対し着脱自在に構成されていることを特徴とする帽子用アクセサリー。
【請求項９】
帽子の前面に着脱自在なデザイン本体部の両端に、１本又は複数本のチェーンが架け渡されており、当該デザイン本体部が帽子の前面に取着した状態で、前記チェーンが鍔部を有する帽子の当該鍔部の上又は帽子の下方で揺動自在に構成されていることを特徴とする、請求項８に記載した帽子用アクセサリー。
【請求項１０】
デザイン本体部の係止手段が、当該デザイン本体部の裏面において突出した突出部の内側で上下方向に貫通した通孔が形成され、帽子の鍔部上の左右に架け渡る線材に対し垂直状に係止されたクリップ状の被係止具が前記通孔に下方から挿し込まれて、デザイン本体部が帽子の前面に着脱自在に構成されていることを特徴とする、請求項８又は９に記載した帽子用アクセサリー。
【請求項１１】
デザイン本体部の係止手段が、当該デザイン本体部の裏面において突出した突出部の内側で左右方向に貫通した通孔が形成され、帽子の鍔部上の左右に架け渡る長さの線材が前記通孔に挿し込まれ、当該線材の両端が帽子の鍔部の基端縁に対し係止した状態で、デザイン本体部が帽子の左右両側面に着脱自在に構成されていることを特徴とする、請求項８又は９に記載した帽子用アクセサリー。
【請求項１２】
帽子の鍔部上の線材又は連結バンドの左右両端が弾性体で結ばれ、その弾性体が前記鍔部の下面に配置されて線材又は連結バンドが固定されていることを特徴とする、請求項４又は１０又は１１に記載した帽子用アクセサリー。
【請求項１３】
デザイン本体部又は連結バンドに施されたデザインが、羽根、動物、植物、文字、数字、十字架、ハート形、星座、干支、太陽、月、星、天然石、イミテーション石、紋章、馬具、貝殻、ヒトデ、王冠、その他の周知又は創作の形状・模様であることを特徴とする、請求項１〜１２のいずれか１項に記載した帽子用アクセサリー。
【請求項１４】
デザイン本体部に架け渡るチェーン又は連結バンドに、前記デザイン本体部に施されたデザインに関連するデザイン又は異なるデザインが施された付属デザイン体が取り付けられていることを特徴とする、請求項１〜１３のいずれか１項に記載した帽子用アクセサリー。
【請求項１５】
デザイン本体部に、チェーンの端部が着脱自在に係止され、又はイヤリング類の小物が着脱自在に付設され、又は耳に引掛けられて固定する引掛け具が着脱自在に付設されていることを特徴とする、請求項１〜１４のいずれか１項に記載した帽子用アクセサリー。
【請求項１６】
デザイン本体部又は連結バンドの一部にフック部が形成されていおり、前記フック部に、イヤリング類の小物又はメガネのつる部若しくはチェーンの端部又は連結バンドの端部を引掛け自在に構成されていることを特徴とする、請求項１〜１５のいずれか１項に記載した帽子用アクセサリー。
【請求項１７】
左右のデザイン本体部を連結する連結バンド又はデザイン本体部自体に、イヤリング類の小物を着脱自在な小孔が複数形成されていることを特徴とする、請求項１６に記載した帽子用アクセサリー。
【請求項１８】
デザイン本体部又はその係止手段又は連結バンドは、その全体又は一部に磁性を帯びて成ることを特徴とする、請求項１〜１７のいずれか１項に記載した帽子用アクセサリー。
【考案の詳細な説明】
【技術分野】
【０００１】
本考案は、帽子の左右側面又は帽子の前面に着脱自在であって、鍔部付き帽子の当該鍔部の上面等で揺動自在なアクセサリーの技術分野に関する。
【背景技術】
【０００２】
帽子は、ファッション性や機能性があり、近年、低年層から中高年層まで幅広くその需要は増加している。しかし、帽子のデザインは製作の際に決定されており、帽子を購入した後に自分の好みや使用場面（シチュエーション）に応じて当該帽子のデザイン・イメージを変更したり、チャームポイントとなるデザインを新たに付加して使用することはできない。
【０００３】
この点、特開２００３−１４７６２１号公報には、帽子のクラウン部の外周や鍔部の上に配置された操作紐（９）の先端にアクセサリー（１０）が取り付けられたファッション帽子が開示されている（同公報の図１参照）。
【特許文献１】特開２００３−１４７６２１号特許公開公報
【考案の開示】
【考案が解決しようとする課題】
【０００４】
しかしながら、前記特開２００３−１４７６２１号公報に記載されたアクセサリーは、帽子の左右両側や前面、更には帽子の鍔部に上面において、自分の好みに応じたものを適宜自由に着脱できるものではなく、チャームポイントとなるデザインを後付けして使用することはできない。
【０００５】
したがって、本考案が解決しようとする課題は、帽子、とりわけ鍔部付きの帽子の左右両側や前面若しくは鍔部の上面又は下方に、事後的に自分の好みや使用場面に応じたチャームポイントとなるアクセサリーを新たに自由に取着できてファッション性や個性化を高められ、また変更使用や不要の際の離脱も簡単に行えて使い勝手に優れた帽子用アクセサリーを提供することにある。
【課題を解決するための手段】
【０００６】
上記課題を解決するための手段として、請求項１記載の考案の帽子用アクセサリーは、帽子１に取り付けられる装飾的な形状・模様のアクセサリーであって、当該アクセサリーをなすデザイン本体部Ａの全体又は表面５に各種のデザインａを施し、前記デザイン本体部Ａに取り付けられた係止手段２により、前記帽子１の左右両側面１０、１１又は一側面１０又は１１に対し着脱自在に構成したことを特徴とする。
【０００７】
請求項２記載の考案の帽子用アクセサリーは、前記帽子１の左右両側面１０、１１に着脱自在な左右のデザイン本体部Ａ、Ａを、それぞれ左右対称又は関連事項の一対のデザインａ、ａにより形成したことを特徴とする。
【０００８】
請求項３記載の考案の帽子用アクセサリーは、前記帽子１の左右両側面１０、１１に着脱自在な左右のデザイン本体部Ａ、Ａに、１本又は複数本のチェーン３を架け渡し、若しくは左右いずれか一方の一側面１０又は１１のデザイン本体部Ａに、前記チェーン３の一端を取り付け、左右のデザイン本体部Ａ、Ａが帽子１の左右両側面１０、１１に取着した状態、若しくは帽子１の一側面１０又は１１にデザイン本体部Ａが取着されチェーン３の他端が帽子１の他側面１１又は１０に取着した状態で、前記チェーン３が鍔部１３を有する帽子１の当該鍔部１３の上又は帽子１の下方で揺動自在に構成したことを特徴とする。
【０００９】
請求項４記載の考案の帽子用アクセサリーは、前記帽子１の左右両側面１０、１１に着脱自在な左右のデザイン本体部Ａを、連結バンド３１によりピン連結等で回動自在に又は固着して接続したことを特徴とする。
【００１０】
請求項５記載の考案の帽子用アクセサリーは、前記デザイン本体部Ａの係止手段２につき、当該デザイン本体部Ａの裏面６において突出した突出部２０の内側で通孔２１を形成し、折り曲げ自在な板状の係止具２２を前記通孔２１に下方から挿し込んで成り、帽子１の下端縁１５に対し前記係止具２２の折り曲げ又は展開により帽子１の側面１０、１１で着脱自在に構成したことを特徴とする。
【００１１】
請求項６記載の考案の帽子用アクセサリーは、前記デザイン本体部Ａの係止手段２をなす係止具２２の折り曲げ部分２３に、保護カバー２４を被覆したことを特徴とする。
【００１２】
請求項７記載の考案の帽子用アクセサリーは、前記デザイン本体部Ａの係止手段２につき、当該デザイン本体部Ａの裏面６に接合される平板状の被接合体２５と、その被接合体２５に設置され展開自在な展開具２６で成ることを特徴とする。
【００１３】
請求項８記載の考案の帽子用アクセサリーは、帽子１に取り付けられる装飾的な形状・模様のアクセサリーであって、当該アクセサリーをなすデザイン本体部Ｂの全体又は表面５に各種のデザインｂを施し、前記デザイン本体部Ｂに取り付けた係止手段２により、前記帽子１の前面１２に対し着脱自在に構成したことを特徴とする。
【００１４】
なお、前記帽子１の前面１２に着脱自在なデザイン本体部Ｂの略中央位置に、天然石４又はイミテーション石を設置してもよい。
【００１５】
請求項９記載の考案の帽子用アクセサリーは、前記帽子１の前面１２に着脱自在なデザイン本体部Ｂの両端に、１本又は複数本のチェーン３を架け渡し、当該デザイン本体部Ｂが帽子１の前面１２に取着した状態で、前記チェーン３が鍔部１３を有する帽子１の当該鍔部１３の上又は帽子の下方において揺動自在に構成したことを特徴とする。
【００１６】
請求項１０記載の考案の帽子用アクセサリーは、前記デザイン本体部Ｂの係止手段２につき、当該デザイン本体部Ｂの裏面６において突出した突出部２０の内側で上下方向に貫通した通孔２１を形成し、帽子１の鍔部１３の上の左右に架け渡る線材２７に対し垂直状に係止されたクリップ状の被係止具２８を前記通孔２１に下方から挿し込み、デザイン本体部Ｂを帽子１の前面１２に着脱自在に構成したことを特徴とする。
【００１７】
請求項１１記載の考案の帽子用アクセサリーは、前記デザイン本体部Ｂの係止手段２につき、当該デザイン本体部Ｂの裏面６において突出した突出部２０の内側で左右方向に貫通した通孔２１を形成し、帽子１の鍔部１３の上の左右に架け渡る長さの線材２７を前記通孔２１に挿し込み、当該線材２７の両端を帽子１の鍔部１３の基端縁１４に対し係止した状態で、デザイン本体部Ｂを帽子１の左右両側面１０、１１に着脱自在に構成したことを特徴とする。
【００１８】
請求項１２記載の考案の帽子用アクセサリーは、前記帽子１の鍔部１３（上面１６）上の線材２７又は連結バンド３１の左右両端を弾性体２９で結び、その弾性体２９を前記鍔部１３の下面１４に配置して線材２７又は連結バンド３１を固定したことを特徴とする。
【００１９】
請求項１３記載の考案の帽子用アクセサリーは、前記デザイン本体部Ａ、Ｂ又は連結バンド３１に施したデザインａ、ｂが、羽根、動物、植物、文字、数字、十字架、ハート形、星座、干支、太陽、月、星、天然石、イミテーション石、紋章、馬具、貝殻、ヒトデ、王冠、その他の周知又は創作の形状・模様であることを特徴とする。
【００２０】
請求項１４記載の考案の帽子用アクセサリーは、前記デザイン本体部Ａ、Ｂに架け渡るチェーン３又は連結バンド３１に、前記デザイン本体部Ａ、Ｂに施したデザインａ、ｂに関連するデザインｃ又は異なるデザインを施した付属デザイン体７を取り付けたことを特徴とする。
【００２１】
請求項１５記載の考案の帽子用アクセサリーは、前記デザイン本体部Ａ、Ｂ（又はその係止手段２）に、チェーン３の端部を着脱自在に係止したことを特徴とする。又は、前記デザイン本体部Ａ、Ｂ（又はその係止手段２）に、イヤリング８類の小物を着脱自在に付設した。さらに、耳８２に引掛けて固定する引掛け具９０を着脱自在に付設したことも特徴とする。
【００２２】
請求項１６記載の考案の帽子用アクセサリーは、前記デザイン本体部Ａ、Ｂ又は連結バンド３１の一部にフック部９を形成し、前記フック部９に、イヤリング８類の小物やメガネ８０のつる部８１、若しくはチェーン３の端部又は連結バンド３１’の端部３１ａを引掛け自在に構成したことを特徴とする。
【００２３】
請求項１７記載の考案の帽子用アクセサリーは、前記左右のデザイン本体部Ａ、Ａを連結する連結バンド３１又はデザイン本体部Ａ、Ｂ自体に、イヤリング８類の小物を着脱自在な小孔３３を複数形成したことを特徴とする。
【００２４】
なお、前記デザイン本体部Ａ、Ｂ又は連結バンド３１に、蛍光塗料又は蓄光塗料又はＬＥＤ等の発光体を施すことも行われる。
【００２５】
請求項１８記載の考案の帽子用アクセサリーは、前記デザイン本体部Ａ、Ｂ又はその係止手段２又は連結バンド３１につき、その全体又は一部に磁性を帯びさせたことを特徴とする。
【考案の効果】
【００２６】
請求項１〜１８の本考案の帽子用アクセサリーは、デザイン本体部の全体又は表面に各種のデザインが施されていると共に、前記デザイン本体部に取り付けられた係止手段により、前記帽子の左右両側面や一側面又は前面に対し着脱自在に構成されているので、特に鍔部付き帽子を購入した後に自分の好みやシチュエーションに応じたチャームポイントとなるアクセサリーを新たに自由に付加したり取り替えられ、他人の帽子にはない特別な装飾を実現できてファッション性に優れる。また、他人の帽子と異なる個性化を高められ、帽子購入者の満足度が高められると共に、帽子の普及と需要拡大に多大に貢献する。
【００２７】
さらに、デザイン本体部や連結バンドにチェーンやイヤリング、その他の小物を適宜取り付けて実施すれば、帽子の鍔部の上下や両サイドで当該チェーンやイヤリング等がゆらゆらと揺れ動き、より一層周囲の注目を浴びて帽子を引き立たせる。その上、デザイン本体部等に形成したフック部を利用してイヤリング等の小物やメガネのつる部等を引掛けられる利便性にも優れている。
【考案を実施するための最良の形態】
【００２８】
本考案に係る帽子用アクセサリーの好適な実施形態を、以下図面にしたがって説明する。当該帽子用アクセサリーは、帽子に対し後付けできる、すなわち事後的に取り付けられる装飾的な形状・模様のアクセサリーであって、大別して帽子の左右両側に着脱する側面タイプ（図１〜図２０）と、帽子の前面に着脱する前面タイプ（図２１〜図２５）の２種類のアクセサリーに分けられる。
【００２９】
本実施形態では、まず帽子の両側に着脱する側面タイプのアクセサリーについて説明する。なお、以下、鍔部１３を有する帽子１のクラウン部１７（本体）の左右両側面１０、１１に着脱する帽子用アクセサリーについて説明するが、右側面１１又は左側面１０のいずれか一側にのみ着脱する帽子用アクセサリーについても好適に実施され（図１３参照）、また鍔部１３を有しない帽子につても同様に実施可能である（図示は省略）。
【００３０】
図１〜図６は、本実施形態の側面タイプの帽子用アクセサリーの基本的な構成を示している。
【００３１】
この側面型帽子用アクセサリーは、当該アクセサリーをなすデザイン本体部Ａの表面５に各種のデザインａ（図示例では羽根形）が施されている（但し、裏面を含む全体にデザインａを施してもよい）。と共に、前記デザイン本体部Ａの裏面５に取り付けられた係止手段２により、当該帽子用アクセサリーは帽子１の左側面１０と右側面１１に対し着脱自在に構成されている。
【００３２】
デザイン本体部Ａの材質は、シルバー製（銀製）であるが、これに限るものではなく、金属・非金属を問わず合成樹脂製や布製などあらゆる材質で実施される。デザイン本体部Ａの表面５に施すデザインａは刻設等によって形成可能である。通常、左右のデザイン本体部Ａ、Ａは、それぞれ対称的な形状・模様の一対のデザインａ、ａにより形成されている。但し、左右対称ではなく左右で関連事項を構成する一対のデザインａ、ａによって形成してもよい（図１２参照）。なお、デザイン本体部Ａに、図示を省略した蛍光塗料や蓄光塗料、又はＬＥＤ等の発光体を施して実施することも可能であり、その場合、夜間にデザイン本体部Ａが自発光して暗闇の周囲で、際立たせることができる。
【００３３】
左右のデザイン本体部Ａ、Ａに、３連チェーン３・・・を取り付けた形態が好適である。すなわち、同じ種類で略同じ長さの３本のチェーン３・・・を、前記左右のデザイン本体部Ａ、Ａに架け渡して取り付けられている。但し、チェーン３の本数はこの３本に限らず、１本や２本若しくは４本以上であってもよい。チェーン３は、デザイン本体部Ａの裏面５の係止手段２（後述）に取り付けられる。このチェーン３が帽子１の鍔部１３（上面１６）の上で揺動自在に配置される（図１参照）。若しくは、チェーン３の一端だけを左右いずれか一方のデザイン本体部Ａに取り付け、そのチェーン３が取り付けられたデザイン本体部Ａを、帽子１の左右いずれか一方の一側面１０又は１１のデザイン本体部Ａに取り付け、チェーン３の他端を帽子１の他側面１１又は１０に取着した形態であっても実施できる（図示は省略）。さらに、前記チェーン３を帽子１の鍔部１３の下方、つまり顎の下に配置して揺動自在としてもよい（図１９Ｂ参照）。
【００３４】
図３〜図６に例示した前記デザイン本体部Ａの係止手段２について説明する。
【００３５】
この係止手段２は、図３Ａに示したように、当該デザイン本体部Ａの裏面６において、湾曲状に突出した横長状の突出部２０が上下２段、又は縦長状の突出部２０’が基端部に１つ設けられ、各突出部２０又は２０’の内側に通孔２１が形成されている。端部の縦長突出部２０’の通孔２１を利用して、前記チェーン３の端部をなす基端リング３０が着脱自在に連結して係止されている。なお、この突出部２０又は２０’は、一端がデザイン本体部Ａの裏面６から離脱した爪状に形成して実施することもでき、その場合はチェーン３の基端リング３０の着脱が容易となる（図示は省略、以下同じ）。
【００３６】
そして、折り曲げ自在な板状の係止具２２の前半部が、前記横長で上下２段の突出部２０、２０の各通孔２１、２１に下方から挿し込まれている（図３Ｃ）。この係止具２２の後半部が折り曲げ部分２３とされ、帽子１の下端縁１５に対し前記折り曲げ部分２３を折り曲げて、当該係止具２２の前半部に合わせることにより（図３Ｂ参照）、帽子１の左右の各側面１０、１１に対しデザイン本体部Ａを自由に取り付けたり、取り外したりすることができる（図１参照）。デザイン本体部Ａを帽子１から取り外すときは、折り曲げられた前記係止具２２の折り曲げ部分２３を展開してやればよい（図３Ｃ参照）。
【００３７】
なお、前記上下２段の横長突出部２０、２０に下方から図示省略のヘアーピンを取り付けて実施すれば、帽子１を被ったとき当該ヘアーピンの内側部分を髪の毛の中に挿し込んで帽子留めとすることができる。或いはまた前記ヘアーピンの代用として、前記係止具２２の折り曲げ部分２３を髪の毛の中に挿し込んで帽子留めとしてもよい。
【００３８】
また、図３Ｃに示した如く係止具２２の後半部の折り曲げ部分２３に、布製や皮製、レザー製等の柔らかい材質の保護カバー２４を被覆した形態で実施すれば、当該帽子１を被った際に、頭皮や髪の毛を傷めず良い。また、この係止具２２をなす突出部２０、２０’や係止具２２の全部又は一部に磁性を帯びさせて使用すれば、帽子１の下端縁１５への取り付け状態を強固に保持できる。
【００３９】
前記係止手段２を利用して、帽子１（及びデザイン本体部Ａ）の離脱を防ぐ帽子留め具の引掛け具９０を付設することができる。その代表的な実施形態を図４と図５に示した。図４は、透明なゴム等の弾性体で成る引掛け具９０の例を示しており、その上端部９１を前記係止具２の縦長突出部２０’に結び付けた後、横長突出部２０の通孔２１に通したもので（図４Ａ）、ぶら下がった下方位置の引掛け具９０の輪を耳８２の外周に引掛けて固定されている（図４Ｂ）。図５は、金属製又は合成樹脂製でフック状に形成された引掛け具９０の例を示しており、その上端部９１を縦長突出部２０’に取り付けたもので（図５Ａ）、ぶら下がったフック状本体を耳８２の後方から引掛けて固定されている（図５Ｂ）。
【００４０】
図６は係止手段２の異なる実施形態を示している。この係止手段２は、デザイン本体部Ａの裏面６に接合される平板状の被接合体２５と、その被接合体２５に設置され展開自在な展開具２６とで成る。被接合体２５は円形で磁性を帯びさせる形態が好ましい。展開具２６は、被接合体２５に接合されたベース部２６ａと、バネ性で展開自在な展開部材２６ｂが前記ベース部２６ａの外端に取り付けられている。展開部材２６ｂの内部は爪部２６ｃとして分岐され、当該爪部２６ｃに、前記チェーン３の端部をなす基端リング３０が着脱自在に連結して係止される。よって、磁性を帯びたデザイン本体部Ａに対し、磁性を帯びた当該被接合体２５を簡単に接合できて、左右のザイン本体部Ａ、Ａにチェーン３が架け渡る。また、帽子１（クラウン部１７）の下端縁１５に対する着脱は、このバネ性のある展開部材２６ｂの開閉により簡単に行うことができる。
【００４１】
図７〜図１２は、デザイン本体部Ａに施されたデザインａのバリーエーションを示している。但し、これら図示例に限定されるものではなく、異なる動物や植物、文字、数字、ハート形、星座、干支、太陽、月、星、石、紋章、馬具、貝殻、ヒトデ、王冠、その他の周知又は創作の各種の形状や模様で実施可能である。
【００４２】
図７はデザイン本体部Ａに「犬」のデザインａを施した実施形態を示している。左右のデザイン本体部Ａ、Ａの各犬のデザインａ、ａは対称形状となっている。両デザイン本体部Ａ、Ａに点線で図示した３連のチェーン３・・・が架け渡って結ばれており（図７Ａ）、このチェーン３・・・が鍔部３の上面１６の上で揺動自在となっている（図７Ｂ）。また、チェーン３・・・の略中央位置に、犬のデザインａに関連するデザインｃとして骨の形状・模様の付属デザイン体７が取り付けられている。その取り付け方法は、図７Ｃに示したように、付属デザイン体７（骨）に貫通孔７ａが穿設され、この貫通孔７ａにチェーン３を挿通して行われる。後述の付属デザイン体７においても、同様に付属デザイン体７の貫通孔７ａにチェーン３が挿通され、各付属デザイン体７が鍔部１３の上面１６の上で揺動自在である。
【００４３】
図８はデザイン本体部Ａに「猫」のデザインａを施した実施形態、図９はデザイン本体部Ａに「馬」のデザインａを施した実施形態、図１０はデザイン本体部Ａに「花（椿）」のデザインａを施した実施形態、図１１はデザイン本体部Ａに「十字架」のデザインａを施した実施形態、図１２は左右のデザイン本体部Ａ、Ａに、関連する「ＬＯＶＥ」と「ＰＥＡＣＥ」の文字のデザインａを施した実施形態をそれぞれ示している。各図において関連デザインｃが施された付属デザイン体７がチェーン３の略中央位置に取り付けられている。但し、図１１に示したように付属デザイン体７の方を大きく形成し、当該付属デザイン体７を長めのチェーン３’の中央位置に取り付け、且つ帽子１の前面１２に設置する実施形態も採用可能である。また、当該関連デザインｃの代わりに、関連しない異なるデザイン（図示は省略）を施した形態も採用可能である。なお、図８中の付属デザイン体７（球）自体や図１０中の付属デザイン体７（葉）、図１１中のデザイン本体部Ａと付属デザイン体７（十字架）の中央部に、装飾効果を高める天然石４がそれぞれ埋め込まれている。
【００４４】
図１３〜図２０は、上記側面タイプのデザイン本体部Ａの異なる実施例を示している。
【００４５】
図１３〜図１５の図示例は、デザイン本体部Ａにイヤリング８等の小物を付設したり、メガネ８０を仮止めする例である。イヤリング８を後付けする方法としては、上述した係止手段２の突出部２０又は２０’に形成された通孔２１にイヤリング８の基端部を着脱自在に接続するのが好適である（詳細図は省略）。但し、デザイン本体部Ａの製作時に、予め図１３のような本体部Ａのデザインａに関連するデザインｄのイヤリング８を取り付けておいてもよい。よって、イヤリング８が耳８２の近くで揺動してチャームポイントとなると共に、イヤリング８をわざわざ耳８２に着脱する手間が省けて使用勝手がよい。
【００４６】
また、図１４や図１５に図示したように、デザイン本体部Ａの下方部をＵ字状のフック部９に形成する形態で実施すれば、このフック部９にイヤリング８等の小物やメガネ８０のつる部８１を簡単に引掛けて使用することができる。図１４の左右のデザイン本体部Ａ、Ａのフック部９、９で引掛けられたメガネ８０は、鍔部１３の上に載置され安定性がよい。但し、図示を省略したメガネチェーンを前記フック部９に引掛ける形態も好適に実施可能である。フック部９の例を図１５Ａ〜Ｃに示した。同図１５Ａは十字架状のデザインａの中央下端部をＵ字状に形成してフック部９とし、同図Ｂは動物デザインａの上向きの鼻の部分をフック部９とし、同図Ｃは動物デザインａの上向きの複数の歯の部分をフック部９、９としている。
【００４７】
図１６と図１８は、左右のデザイン本体部Ａ、Ａを連結バンド３１で連結した実施例を示している。この連結バンド３１はヘアバンドのような湾曲状で鍔部１３の基端に亘る長さに形成されている（図１８Ｂ）。連結バンド３１の左右両端部とデザイン本体部Ａとは、図１８Ａに示したようにピン３２で連結するのが好ましい。左右のデザイン本体部Ａ、Ａを帽子１の両側に取り付けた状態で、連結バンド３１の位置を帽子１の所望位置、例えば前面１２や上部などに動かすことができるからである。また、連結バンド３１の位置を帽子１の下方、つまり顎の下に掛ける配置とすることもできる（図２０Ｂ参照）。但し、前記のようにピン連結せずに、デザイン本体部Ａ、Ａと連結バンド３１を固着したり、上記のような係止手段２を利用してもよい。
【００４８】
また図１８に図示したように、前記連結バンド３１の表面に天然石４を複数設置したり、図１６に図示した連結バンド３１のように、中央部に付属デザイン体７を取り付けるほか、イヤリング８等の小物を複数取り付けて実施することも可能である。その場合、連結バンド３１に小孔３３を一定間隔おきに複数穿設して形成しておく。よって、当該イヤリング８の上端部のフック部８ａを前記小孔３３に引掛けて簡単に係止でき、そうすることにより帽子１の鍔部１３上で、複数のイヤリング８・・・があらゆる方向に自由に揺れ動くものである。若しくは図１７に図示したように、付属デザイン体７を連結バンド３１に対し直接固定する形態でも実施される。なお、連結バンド３１は、図示例のように帽子１に取り付けないで、髪の毛の上部に直接取り付けて実施することもできる（図示は省略）。
【００４９】
図１９と図２０は上記実施形態の応用例を示している。図１９Ｂは、図１に図示したような鍔部１３の上にチェーン３を揺動自在に配置するのではなく、顎の下に掛けるように下方に配置する例を示している。チェーン３の基端リング３０は、デザイン本体部Ａに対し直接固着してもよいが、図１９Ａに図示したように、縦長突出部２０’の下端をフック状に形成し、そこに基端リング３０を引掛けてやれば着脱しやすくて便利である。
【００５０】
図２０は、上述した図１４や図１５のようなデザイン本体部Ａに形成したフック部９に、連結バンド３１’の基端孔３１ａを引掛けてぶら下げた例を示している。図示例の連結バンド３１’の他に、チェーンや紐などの線材をフック部９に引掛けて顎の下で揺動又は固定自在とすることができる。
【００５１】
図２１〜図２５は帽子の前面に着脱する前面タイプの帽子用アクセサリーの実施形態を示している。
【００５２】
この前面型帽子用アクセサリーは、当該アクセサリーをなすデザイン本体部Ｂの表面５（又は裏面６を含む全体）に、上述した各種のデザインｂが施されていると共に、デザイン本体部Ｂの裏面６に取り付けられた上述の係止手段２により、帽子１の前面１２に対し着脱自在となっている。
【００５３】
図示例のデザイン本体部Ｂは、シルバー製で帽子１の前面１２の左右両端に亘る長さの横長形状の葉模様に形成され、その略中央位置に天然石４（又はイミテーション石）が設置されている（図２３Ａ）。図２４に簡略して示したデザイン本体部Ｂの裏面６の両端に設けられた係止手段２、２の各突出部２０（通孔２１）に、チェーン３の基端リング３０が連結して架け渡されている。当該デザイン本体部Ｂが帽子１の前面１２に取着した状態で、前記チェーン３・・・が帽子１の鍔部１３の上で揺動自在に配置される（図２１）。但し、図２５に図示例の如く、当該デザイン本体部Ｂにチェーン３を取り付けない形態でも好適に実施される。
【００５４】
このデザイン本体部Ｂを帽子１の前面１２に着脱する手段としては、以下の線材２７やクリップ状の係止具２８を用いた係止手段２の利用が好ましい。即ち、図２３Ｂ、Ｃに示したようなデザイン本体部Ｂの裏面６に、上述したような通孔２１を有する湾曲状で横長突出部２０又は縦長突出部２０’・・・を、当該通孔２１・・・が上下方向又は左右方向となる配置で複数設けておく。そして、図２２に示した如く帽子１の鍔部１３の左右両端に架け渡る長さの線材２７に対し、下方から垂直状に係止されたクリップ状の被係止具２８が垂直状態を維持して固定されており、このクリップ状被係止具２８の上部先端が、前記横長状突出部２０の通孔２１に下方から挿し込まれて（図２３Ｂ）、デザイン本体部Ｂが帽子１の前面１２に着脱自在となっている。
【００５５】
或いはまた、前記縦長状突出部２０’の左右方向に貫通する複数の通孔２１・・・に直接、前記線材２７を挿し込み（図２３Ｂ）、当該線材２７の両端を帽子１の鍔部１３の基端縁１４で少し折り曲げて係止する簡単な実施形態も採用可能である（図２２参照）。
【００５６】
さらに、帽子１の鍔部１３（上面１６）上に配置される前記線材２７に、その線材２７の左右両端を結ぶゴム等の弾性体２９を、前記鍔部１３の下面１４に配置させて線材２７を位置決め固定する実施形態が好ましい（図２２）。
【００５７】
なお、上述した係止手段２としては、面ファスナー（図示は省略）を利用してデザイン本体部Ａ、Ｂと帽子１（クラウン部１７）の着脱を行ってもよい。また、当該前面タイプのデザイン本体部Ｂに、上記側面タイプのデザイン本体部Ａやイヤリング８等の小物を結合させた形態でも好適に実施される（図示は省略）。
【図面の簡単な説明】
【００５８】
【図１】側面タイプの帽子用アクセサリーの帽子への取り付け状態を示した斜視図である。
【００５９】
【図２】図１の側面タイプの帽子用アクセサリーを示した斜視図である。
【００６０】
【図３】Ａ、Ｂ、Ｃは係止手段の構造を示した裏面図である。
【００６１】
【図４】Ａ、Ｂは係止手段を利用した耳への固定要領を示した説明図である。
【００６２】
【図５】Ａ、Ｂは係止手段を利用した耳への異なる固定要領を示した説明図である。
【００６３】
【図６】Ａ、Ｂは異なる係止手段の構造を示した裏面図である。
【００６４】
【図７】Ａ、Ｂ、Ｃは側面タイプの帽子用アクセサリーの一実施形態を示した説明図である。
【００６５】
【図８】Ａ、Ｂは帽子用アクセサリーの異なる実施形態を示した説明図である。
【００６６】
【図９】Ａ、Ｂは帽子用アクセサリーの異なる実施形態を示した説明図である。
【００６７】
【図１０】Ａ、Ｂは帽子用アクセサリーの異なる実施形態を示した説明図である。
【００６８】
【図１１】Ａ、Ｂは帽子用アクセサリーの異なる実施形態を示した説明図である。
【００６９】
【図１２】Ａ、Ｂは帽子用アクセサリーの異なる実施形態を示した説明図である。
【００７０】
【図１３】帽子用アクセサリーにイヤリングを付設した状態を示した斜視図である。
【００７１】
【図１４】帽子用アクセサリーを利用してメガネとイヤリングを引掛けた状態を示した斜視図である。
【００７２】
【図１５】Ａ、Ｂ、Ｃは帽子用アクセサリーのフック部のバリエーションを示した説明図である。
【００７３】
【図１６】左右の帽子用アクセサリーを連結する連結バンドの利用例を示した斜視図と部分拡大図である。
【００７４】
【図１７】連結バンドへの付属デザイン体の固定状態を示した部分拡大図である。
【００７５】
【図１８】Ａ、Ｂは左右の帽子用アクセサリーを連結する連結バンドを示した全体図と使用説明図である。
【００７６】
【図１９】Ａ、Ｂは側面タイプの帽子用アクセサリーの応用例を示した説明図である。
【００７７】
【図２０】Ａ、Ｂは側面タイプの帽子用アクセサリーのフック部の異なる応用例を示した説明図である。
【００７８】
【図２１】異なる帽子用アクセサリー（前面タイプ）の帽子への取り付け状態を示した斜視図である。
【００７９】
【図２２】異なる帽子用アクセサリー用の係止手段を示した斜視図である。
【００８０】
【図２３】Ａ、Ｂ、Ｃは異なる帽子用アクセサリーを示した正面図、裏面図、下面図である。
【００８１】
【図２４】異なる帽子用アクセサリーに対するチェーンの取り付け要領を示した簡略図である。
【００８２】
【図２５】異なる帽子用アクセサリーの帽子への取着状態を示した側面図である。
【符号の説明】
【００８３】
Ａ、Ｂ    デザイン本体部
ａ、ｂ、ｃ、ｄ    デザイン
１        帽子
１０      左側面
１１      右側面
１２      前面
１３      鍔部
１４      下面
１５      下端縁
２        係止手段
２０、２０’  突出部
２１      通孔
２２      係止具
２３      折り曲げ部分
２４      保護カバー
２５      被接合体
２６      展開具
２７      線材
２８      被係止具
３        チェーン
３１      連結バンド
３３      小孔
４        天然石
５        表面
６        裏面
７        付属デザイン体
８        イヤリング
９        フック部
９０      引掛け具
【図１】
0003111069.tif 000003
【図２】
0003111069.tif 000004
【図３】
0003111069.tif 000005
【図４】
0003111069.tif 000006
【図５】
0003111069.tif 000007
【図６】
0003111069.tif 000008
【図７】
0003111069.tif 000009
【図８】
0003111069.tif 000010
【図９】
0003111069.tif 000011
【図１０】
0003111069.tif 000012
【図１１】
0003111069.tif 000013
【図１２】
0003111069.tif 000014
【図１３】
0003111069.tif 000015
【図１４】
0003111069.tif 000016
【図１５】
0003111069.tif 000017
【図１６】
0003111069.tif 000018
【図１７】
0003111069.tif 000019
【図１８】
0003111069.tif 000020
【図１９】
0003111069.tif 000021
【図２０】
0003111069.tif 000022
【図２１】
0003111069.tif 000023
【図２２】
0003111069.tif 000024
【図２３】
0003111069.tif 000025
【図２４】
0003111069.tif 000026
【図２５】
0003111069.tif 000027